(57)【要約】【課題】簡易な構成で容易に分割・組立でき、偏荷重に強く、揺れが少なく、静かで安定した昇降が得られるテーブルリフトを提供する。【解決手段】基部フレーム１と、荷台であるテーブル２と、基部フレームにテーブル２を昇降自在に連結するシザー３，４と、昇降手段６とを備えたテーブルリフトであって、シザーは交差する第１、第２シザーとこの交差部を結合する軸心とを有し、第１シザーの一端３ｂは基部フレーム１に回転自在であり他端３ａはテーブル２に対しスライド自在であり、第２シザーの一端４ｂはテーブル２に回転自在であり他端４ａは基部フレームに対しスライド自在であり、昇降手段６は、巻き取り可能な連結部材６１と、巻取ローラ６２と、駆動手段６３とを備え、第１シザーのスライドする一端３ａは連結部材と連結され、連結部材の巻き取り巻き戻しによりテーブルが昇降する。【選択図】  図１
2004307156.tif 000002
【特許請求の範囲】
【請求項１】
基部フレームと、前記基部フレームの上方に配置された荷台であるテーブルと、前記基部フレームと前記テーブルとの間に配置され基部フレームにテーブルを昇降自在に連結する複数のシザーと、前記基部フレームに載置され前記テーブルを昇降させる昇降手段と、を備えたテーブルリフトであって、
前記シザーは、Ｘ字形に交差する第１シザー及び第２シザーと、前記第１シザーと第２シザーの交差部分を回転自在に結合する軸心と、を有し、
前記第１シザーは、一端が基部フレームに回転自在に固定され、他端がテーブルに対してスライド自在であり、
前記第２シザーは、一端がテーブルに回転自在に固定され、他端が基部フレームに対してスライド自在であり、
前記昇降手段は、巻き取り可能な連結部材と、前記連結部材の巻取ローラと、前記巻取ローラを駆動させる駆動手段と、を備えており、
前記第１シザーのスライド自在である一端は、前記連結部材と連結されており、前記連結部材の巻き取り又は巻き戻しをすることにより、前記テーブルが昇降することを特徴とするテーブルリフト。
【請求項２】
前記基部フレームに着脱自在に載置された前記テーブルのガイド部材を備え、
前記連結部材の一端は、テーブルに取り付けられた滑車を介して前記第一シザーのスライド自在である一端と着脱自在に連結され、他端は、前記テーブルより上方に位置する前記ガイド部材内の滑車を介して駆動手段と連結されており、
前記駆動手段は、前記連結部材を垂直方向に巻き取り又は巻き戻しすることを特徴とする請求項１に記載のテーブルリフト。
【請求項３】
前記巻き取り可能な連結部材は、ベルト部材であることを特徴とする請求項１又は請求項２に記載のテーブルリフト。
【請求項４】
前記カバー部材は、その上方に手摺部材が設けられており、この手摺部材は、略逆Ａ字形であり２股の把持部を有していることを特徴とする請求項１から請求項３のいずれかに記載のテーブルリフト。
【請求項５】
前記カバー部材は、その上方に手摺部材が設けられており、この手摺部材は、中央部に位置する水平部と、この水平部の両側に連続した傾斜部とを有し、前記水平部が下方に位置する形状であることを特徴とする請求項１から請求項３のいずれかに記載のテーブルリフト。
【発明の詳細な説明】
【０００１】
【発明の属する技術分野】
本発明は、荷台であるテーブルの上昇・下降により重量物を昇降させるためのテーブルリフトに関し、特に、人が乗った車椅子を昇降させる福祉用リフトとして好適に利用できる。
【０００２】
【従来の技術】
従来のテーブルリフトとして、例えば、図１０に示すようなものがある。このテーブルリフトは、基部フレーム１０１と、この基部フレーム１０１の上方に配置されたテーブル１０２と、基部フレーム１０１とテーブル１０２との間に配置された連結手段としてのシザー１０３を有している。また、テーブル１０２上には、テーブルが昇降時に揺動するのを防ぐためのガイド手段１０４が設けられている。
【０００３】
このテーブルリフトは、テーブル１０２の昇降手段として、基部フレーム１０１に立設されたラック１０５と、このラック１０５と噛み合うピニオン（図示せず）と、このピニオンを駆動させるモータ１０６とを有している。ピニオンとモータ１０６は前記テーブル１０２と一体化されており、ピニオンとラック１０５との歯車機構によりテーブル１０２が昇降する。そして、前記テーブル１０２の歯車機構の対向する側には手摺部材１０７が立設されている。
【０００４】
【特許文献１】
特開２００２−３０８５７０号公報
【０００５】
しかし、従来のテーブルリフトは、以下の問題点があった。第１に、テーブル１０２の昇降をピニオンとラック１０５との歯車機構によって行うため、テーブルの昇降時に多少の駆動音が伴っていた。第２に、ピニオンとモータ１０６をテーブル１０２と一体化させなければならないため、テーブル１０２の重量が重くなりテーブル１０２の昇降に大きな動力を要していた。
【０００６】
また、テーブルリフトは種々の場所で用いられており、従来より容易に運搬できるものが求められていた。しかし、テーブルリフトは、一定の安全性を確保する強度が必要であり、その構成部材は強固なものにしなければならず、テーブルリフト自体を軽量化することは困難であった。
【０００７】
このような要求に対して、必要に応じてテーブルリフトを分解・組立することが考えられるが、従来のテーブルリフトは昇降手段の構成が複雑であり、特にテーブルと基部フレームを容易に分解・組立することが難しかった。
【０００８】
また、従来より、特に人が乗った車いすの昇降に際しては、安全性等の観点から、ゆれが少なく、静かで安定した昇降が求められていた。
【０００９】
【発明が解決しようとする課題】
本発明は、このような事情に鑑みてなされたものであり、簡易な構成で容易に分割・組立ができ、かつ、偏荷重に強く、ゆれが少なく、静かで安定した昇降が得られるテーブルリフトを提供することを技術的課題とする。
【００１０】
【課題を解決するための手段】
本発明は、基部フレームと、前記基部フレームの上方に配置された荷台であるテーブルと、前記基部フレームと前記テーブルとの間に配置され基部フレームにテーブルを昇降自在に連結する複数のシザーと、前記基部フレームに載置され前記テーブルを昇降させる昇降手段と、を備えたテーブルリフトであって、前記シザーは、Ｘ字形に交差する第１シザー及び第２シザーと、前記第１シザーと第２シザーの交差部分を回転自在に結合する軸心と、を有し、前記第１シザーは、一端が基部フレームに回転自在に固定され、他端がテーブルに対してスライド自在であり、前記第２シザーは、一端がテーブルに回転自在に固定され、他端が基部フレームに対してスライド自在であり、前記昇降手段は、巻き取り可能な連結部材と、前記連結部材の巻取ローラと、前記巻取ローラを駆動させる駆動手段と、を備えており、前記第１シザーのスライド自在である一端は、前記連結部材と連結されており、前記連結部材の巻き取り又は巻き戻しをすることにより、前記テーブルが昇降する。
【００１１】
このようにすれば、連結部材の巻き取り又は巻き戻しをすることによってテーブルの昇降が行われるため、偏荷重に強く、ゆれが少なく、静かで安定した昇降を行うことができる。また、昇降手段を連結部材を巻き上げる機構としたことで、従来の歯車機構と比べて簡易な構成となり、テーブルリフトの分解・組立を容易にすることができる。これにより、テーブルリフトの運搬を効率的に行うことが可能となる。
【００１２】
テーブルリフトの分割については特に定めはないが、分割した各ユニットが運搬可能な重量とすることが望ましい。テーブルリフトの分割例としては、基部フレームユニット、シザーユニット、テーブルユニット、昇降手段ユニットとに分割することが例示できる。
【００１３】
さらに、本発明は、第１シザーと連結部材を連結しているため、前記テーブルの下面に連結部材が配置される。この連結部材には、常に一定の張力が作用しているため、連結部材の張力によりテーブルの安定性を向上させることができる。
【００１４】
しかし、必要に応じ、前記第２シザーと前記連結部材とを連結し、前記連結部材の巻き取り又は巻き戻しをすることにより、前記テーブルを昇降させる構成としても良い。尚、前記連結部材は、前記駆動手段により巻き取り又は巻き戻しを行うが、この巻き取り等の方向は特に限定されず、水平方向、垂直方向等いずれの方向でも良い。
【００１５】
また、本発明に係るテーブルリフトは、前記基部フレームに着脱自在に載置され、前記テーブルのガイド部材を備え、前記連結部材の一端は、テーブルに取り付けられた滑車を介して前記第一シザーのスライド自在である一端と着脱自在に連結され、他端は、前記テーブルより上方に位置する前記ガイド部材内の滑車を介して駆動手段と連結されており、前記駆動手段は、前記連結部材の他端を垂直方向に巻き取り又は巻き戻しすることが望ましい。
【００１６】
前記連結部材を水平方向のみで巻き取り等行うと、連結部材の張力は、前記駆動手段の巻き取り力のみしか発生しないが、前記滑車を介することで、連結部材を垂直方向で巻き取り等行うことができ、連結部材でテーブルを吊る状態となり、駆動手段の巻き取り力とテーブルの重量が連結部材の張力を増す方向に働くことになる。また、連結部材と第一シザーとを着脱自在に連結させることにより、更に組み立て作業を効率良く行うことが可能となる。
【００１７】
加えて、前記連結部材は、ベルト部材であることが望ましい。連結部材にベルト部材を用いることにより、ベルト部材の常に張っている張力の働きにより、テーブルに荷重がかかっても、荷重のたわみやひずみが打ち消され、又は、少なく現れる。従って、ゆれが少なく、その状態で昇降が始まるので安定した昇降を得ることができる。
【００１８】
また、本発明は、前記基部フレームに着脱自在に載置され、前記テーブルのガイド部材と、前記テーブルに着脱自在に載置されたカバー部材と、を備え、前記テーブルと前記カバー部材は、前記テーブルの昇降時に前記ガイド部材に沿って昇降し、前記ガイド部材と前記昇降手段は一体化されており、前記カバー部材に格納可能であることが望ましい。
【００１９】
前記ガイド部材を設けることにより、テーブルをガイド部材に沿って昇降させることができるため、円滑に昇降動作が行わせることが可能となる。また、前記テーブルにはカバー部材が設けられているため、テーブルの昇降時に部材と部材との間に手を挟む等の危険を回避することができ、安全性を向上させることが可能である。さらに、前記カバー部材はテーブルに対して着脱自在であり、かつ、前記ガイド部材と昇降手段とを一体化していることにより、テーブルリフトの分割・組立作業を効率的に行うことが可能となる。加えて、テーブルリフト駆動時において、前記ガイド部材と昇降手段は、ガイド部材に格納可能であるため、使用時の専有面積が小さく、使用場所の制限を少なくすることができる。
【００２０】
さらに、本発明は、前記カバー部材の上方に手摺部材が設けられており、この手摺部材が略逆Ａ字形であり２股の把持部を有していることが望ましい。前記手摺部材を前記カバー部材と一体化することにより、従来の独立して手摺部材を設ける場合と比べて、分割・組立作業の手間が少なくなるため、テーブルリフトの分割・組立作業を更に簡易化することが可能となる。
【００２１】
また、手摺部材を二股の把持部を有する略逆Ａ字に形成することにより、何人も自分に合った箇所で手摺部材を把持することが可能となり、安全性を向上させることができる。更に、略逆Ａ字形であるため左右どちらの手でも把持しやすい。
【００２２】
加えて、前記手摺部材は、中央部に位置する水平部と、この水平部の両側に連続した傾斜部とを有し、前記水平部が下方に位置する形状であっても良い。前記構成によっても、左右どちらの手でも握りやすく、何人も自分に合った箇所で手摺部材を把持することが可能である。
【００２３】
以下、本発明の各構成要素について説明する。
【００２４】
（基部フレーム）テーブルリフト全体を保持するものであり。例えばＬ型鋼などによって枠状に形成したものを例示できる。
【００２５】
（テーブル）  後述する２つのシザーが相対回転することにより昇降するもので、人が乗った車椅子等を載せるものであり、軽量であって強度を高くすることが望ましい。また、安全性の観点から表面を滑りにくくするため、例えばマット等を敷くことができる。
【００２６】
（シザー）  例えば、板状体または棒状体であってＸ型に交差しており、基部フレームとテーブルの両側にそれぞれ設けられる。内側と外側にあるシザーのそれぞれは互いに連結され、その交差部分が軸心となり、回転自在に結合されている。また、シザーの端部は基部フレームとテーブルに回転自在に取り付けられ、一方側の端部はテーブルと基部フレームに対してスライド自在になっている。
【００２７】
（昇降手段）  前記シザーと連結する巻き取り可能な連結部材は、高強度の部材が望ましく、例えば、シートベルトで用いる布製のベルト、ワイヤー、チェーン等が挙げられる。前記連結部材の巻取ローラは、連結部材を巻き取り及び巻き戻しをする機構であれば良いが、例えば、載荷時に連結部材のゆるみを巻き取る機構や、連結部材の張力を一定値に保つ機構を設けると好適である。駆動手段は、前記巻取ローラに所定の動力を加えることが可能な手段であれば良く、例えば、電動モータが例示できる。但し、テーブルリフト軽量化のため軽量のものが望ましい。
【００２８】
また、本発明では、シザー及び基部フレームは伸縮可能な被覆体で覆うことが望ましい。このようにすればテーブルの下降時に基部フレームとテーブルとの間に人や物が挟まれるおそれがなくなる。これに加えてテーブル下面に停止スイッチを設け、この停止スイッチに異物が触れるとテーブルの下降が停止するようにすれば、安全性をも向上させることができる。
【００２９】
なお、本発明は前記構成に基づいているが、前記構成は可能な限り組合せることが出来る。
【００３０】
【発明の実施の形態】
本発明の実施の形態にかかるテーブルリフトは、段差がある場所を人が車椅子に乗った状態で移動する際、段差を解消するために用いられるリフトである。以下、本発明の実施の形態に係るテーブルリフトを図に基づいて詳細に説明する。図１は、本実施の形態に係るテーブルリフトの側面図であり、図２には、このテーブルリフトの正面図、図３には、図１のＡ矢視図が示されている。
【００３１】
このテーブルリフトは、基部フレーム１と、この基部フレーム１の上方に配置されたテーブル２と、基部フレーム１とテーブル２との間に配置された伸縮可能なシザー３，４を有している。また、基部フレーム１上には、テーブル２のガイド部材となるマスト５と、テーブル２を昇降させるための昇降手段６が設けられている。テーブル２上には巻き込み防止のカバー部材７が設けられており、テーブル２が下降すると前記マスト５と昇降手段６を格納する。このカバー部材７の上方には、逆Ａ字形の手摺部材８が設けられている。
【００３２】
前記基部フレーム１は、全体の安全性を良くするため、例えばＬ字鋼などによって長方形に形成されている。この基部フレーム１には、前記シザー３，４とマスト５と、昇降手段６が連結されている。
【００３３】
前記シザー３，４は、板状であって第１シザー３と第２シザー４がＸ型に交差しており、基部フレーム１とテーブル２の両側にそれぞれ設けられ、その交差部分が連結軸３０によって回転自在に結合されている。これらのシザー３，４の図１中左側の端部が基部フレーム１とテーブル２に回転自在に結合されている。一方、シザー３，４の右側の端部はテーブル２と基部フレーム１にコロ（図示せず）を介してスライド自在に取り付けられている。
【００３４】
このテーブルリフトは、テーブル２を昇降させるための昇降手段６として、前記シザー３，４とそれぞれ連結した巻き取り可能な連結部材としてのベルト部材６１と、このベルト部材６１の巻き取り及び巻き戻しをする巻取ローラ６２と、この巻取ローラ６２を駆動させる駆動手段としての電動モータ６３を設けている。
【００３５】
さらに、基部フレーム１にはテーブル昇降時のガイド部材となるマスト５が立設されている。テーブル２には切り欠き部２ａが設けられており、この切り欠き部２ａから前記マスト５が突出している。すなわち、前記マスト５にそってテーブル２は昇降するため、きわめて安定した昇降動作が行われる。
【００３６】
また、前記テーブル２の切り欠き部２ａを囲むようにカバー部材７が立設されている。このカバー部材７は、テーブル昇降時に物、人の挟み込みを防止するために設けられている。前記マスト５は、このカバー部材７の内側に位置しており、前記テーブル２が降下すると、前記マスト５と昇降手段６はカバー部材７に格納される。
【００３７】
加えて、テーブル２上には、カバー部材７と対向する位置にガード板９が立設されている。前記ガード板９は、テーブル昇降時に車椅子の転落を防止するとともに、車椅子がテーブル上を通過する際に車椅子が直進できるようガイドの役割をも果たしている。
【００３８】
また、テーブル２に車椅子を乗り入れる際、及び、テーブル２から降りる際には、テーブル２と地面との間には多少の段差及び隙間が伴う。そのため、乗り降りの安全性の観点より、据置スロープ１０とブリッジ１１が設けられている。前記据置スロープ１０は、傾斜面を有し地面からテーブルへの乗り入れを容易にしている。
【００３９】
前記ブリッジ１１は、基部フレーム１と接続され垂直方向に立設された第１ブリッジガイド１１ａと、この第１ブリッジガイド１１ａに格納可能な第２ブリッジガイド１１ｅと、テーブル２に連結されたブリッジ板１１ｂとから構成されており、第２ブリッジガイド１１ｅを第１ブリッジガイド１１ａに格納することにより高さを調整することができる。
【００４０】
図４は、前記ブリッジ１１の動作説明図である。第２ブリッジガイド１１ｅにはその高さ方向に複数の穴１１ｃが形成されている。また、第１ブリッジガイド１１ａには、その高さ方向に長尺な長穴１１ｆが設けられている。この長穴１１ｆの上下を第１ブリッジガイド１１ａの穴１１ｃに合わせて、ピン部材で固定することにより、調整した高さで固定することができる。
【００４１】
前記ブリッジ１１を用いる場合には、テーブル２を昇降させる前に予め、第２ブリッジガイド１１ｅの天端部分を移動させるテーブル２の高さに合わせておく必要がある。このとき、ブリッジ板１１ｂは、ブリッジガイド１１ａに掛止している（ａ）。そしてテーブル２が上昇するとテーブル２に連結されているブリッジ板１１ｂも上昇する。テーブル２が所定の位置まで移動するとブリッジ板１１ｂはブリッジガイド１１上に配置され、テーブル２と乗り移る面とを掛け渡すことができる（ｂ）。
【００４２】
次いで、前記シザー３，４の動作について詳細に説明する。前記マスト５の上方内側と、前記テーブル２の切り欠き部２ａには、ベルト部材６１を通すための滑車６４，６５が設けられている。ベルト部材６１は、前記基部フレーム１に載置された巻取ローラ６２から延伸し、前記マスト５の滑車６４の上方を通り、前記テーブル２の滑車６５の下方を通り、前記第１シザーの一端３ａと連結している。
【００４３】
図５は、第１シザーの端部３ａとベルト部材６１との連結部を示している。第１シザーの一端３ａは、一対のシザーを接続する接続板３２と接合されており、この接続板３２には、一対の固定板３４とこの固定板３４を貫通するピン部材３３が設けられている。この固定板３４には、ピン部材３３が貫通する穴が形成されている。そして、ベルト部材６１の端部６１ａを一対の固定板３４の間に配置した状態でピン部材３３を貫通させ、このピン部材３３を前記固定板３４に固定することで、ベルト部材６１とシザー３とが連結される。
【００４４】
そして、ベルト部材６１が巻き取り又は巻き戻しされることにより、第１シザー３の一端３ａがテーブル２に沿ってスライドする。このとき、第１シザーの他端３ｂは基部フレーム１に回転自在に固定されているため、この一端３ｂを中心軸として他端３ａが回転方向に移動し、シザー３の高さが変動する。また、第１シザー３と第２シザー４は、連結軸３０によって回転自在に結合されているため、第１シザー３と同様に第２シザー４も相対回転し、固定されていない一端４ａは基部フレーム１に沿ってスライドする。このようにしてシザー３，４の高さが変動し、テーブル２が昇降する。
【００４５】
次いで、本実施の形態に係るテーブルリフトの分解・組立方法について詳細に説明する。図６から図９は、本実施の形態に係るテーブルリフトを構成する各ユニットを示した図である。テーブルリフトは、テーブル２からなるテーブルユニット５１、基部フレーム１とシザー３，４からなるベース・シザーユニット５２、マスト５と昇降手段６とからなるマストユニット５３、カバー部材７とこのカバー部材７に設けられた手摺部材８からなるカバーユニット５４とから構成される。テーブルリフトを運搬する際には、前記ユニットに分解して搬送する。各ユニットはいずれも軽量であり、人手で容易に搬送することが可能である。
【００４６】
この各ユニットからの組立方法は以下の通りである。まず、シザー・ベースユニット５２を設置し、シザー３，４を任意の高さまで持ち上げ、シザー３，４を仮固定するため介ものをセットする（工程１）。マストユニット５３を基部フレーム１上の所定位置に載置する。位置決め後、螺子部材でマストユニット５３を基部フレーム１に固定する。そして、マスト５からベルト部材６１を所定の長さ引き出す（工程２）。マスト５から引き出したベルト部材６１の一端６１ａを接続板３２に設けられた固定板３４間に配置し、ピン部材３３で連結する（工程３）。
【００４７】
次いで、テーブル２の切り欠き部２ａに設けられた滑車６５にベルト部材６１を通して、テーブルユニット５１とシザー３，４の上端３ａ，４ｂとを連結する。第１シザーの一端３ａはコロを介してスライド自在とし、第２シザーの一端４ｂは、ピン部材を用いて回転自在とする（工程４）。テーブル２の切り欠き部２ａから突出したマスト５の上方から、マスト５を囲むようにカバー部材７を載置し、カバー部材７とテーブル２とを螺子部材で固定する（工程５）。昇降手段６に電気を接続し、必要に応じて、前記ブリッジ１１及び据置スロープ１０を配置する。このようにして、テーブルリフトを組み立てることができる。また、分解する際には、逆工程を行えばよい。
【００４８】
次いで、このようにして組み立てたテーブルリフトの使用方法を説明する。車椅子の搭乗者が下方から上方へ移動する場合の使用方法である。まず、テーブル２が最下端に位置するようにベルト部材６１を巻き戻し、テーブル２を最下端に配置する。そして、据置スロープ１０からテーブル２に車椅子を乗り入れる。前記テーブル２を上昇させる場合には、車椅子の搭乗者が操作できるようにしたリモコン型のスイッチ１２をＯＮにし、電動モータ６３を作動させる。電動モータ６３から動力をうけ巻取ローラ６２がベルト部材６１を巻き取る。すると、シザー３，４が垂直方向に伸張し、テーブル２はマスト５に沿って上方に移動する。
【００４９】
このとき、テーブル２はマスト５に沿って上昇するため、円滑に昇降動作を行うことができる。また、テーブル２の昇降時、搭乗者は手摺部材８を適切な箇所で把持することができるため、例えば多少の揺れが生じても安全に昇降を行うことができる。
【００５０】
【発明の効果】
以上のように本発明によれば、テーブルリフトが簡易な構成となり、容易に分割・組立をすることが可能となる。すなわち、昇降手段として巻き取り可能な連結部材を採用したことで、従来複雑な機構であった昇降手段を簡易な機構にすることができ、何人も容易に組立・分割を行うことが可能となる。これにより、分割した状態でテーブルリフトを運搬することが可能となるため、運搬の効率を向上させることができる。
【００５１】
また、連結部材の巻き取り・巻き戻しを行うことによりテーブルを昇降させるため、偏荷重に強く、ゆれが少なく、静かで安定した昇降が得られる。さらに、複数のシザーのうち第１シザーと連結部材を連結しているため、テーブルの下面に連結部材が配置され、この連結部材の張力によりテーブルの安定性を向上させることができる。
【図面の簡単な説明】
【図１】本発明のテーブルリフトのテーブルの上昇状態を示す側面図。
【図２】図１に示すテーブルリフトの正面図。
【図３】図１に示すテーブルリフトのＡ矢視図。
【図４】ブリッジの動作説明図。
【図５】シザーとベルト部材の連結説明図。
【図６】テーブルリフトを構成するテーブルユニットの斜視図。
【図７】テーブルリフトを構成するベース・シザーユニットの斜視図。
【図８】テーブルリフトを構成するマストユニットの斜視図。
【図９】テーブルリフトを構成するカバーユニットの斜視図。
【図１０】従来のテーブルリフトの側面図。
【符号の説明】
１  基部フレーム
２  テーブル
２ａ  切り欠き部
３，４  シザー
３０  連結軸
３２  接続板
３３  ピン部材
３４  固定板
５  マスト
６  昇降手段
６１  ベルト部材
６２  巻取ローラ
６３  電動モータ
６４，６５  滑車
７  カバー部材
８  手摺部材
９  ガード板
１０  据置スロープ
１１  ブリッジ
１２  スイッチ
３４  固定板
５１  テーブルユニット
５２  ベース・シザーユニット
５３  マストユニット
５４  カバーユニット
１００  テーブルリフト
１０１  基部フレーム
１０２  テーブル
１０３  シザー
１０４  ガイド手段
１０５  ラック
１０６  モータ
１０７  手摺部材
【図１】
2004307156.tif 000003
【図２】
2004307156.tif 000004
【図３】
2004307156.tif 000005
【図４】
2004307156.tif 000006
【図５】
2004307156.tif 000007
【図６】
2004307156.tif 000008
【図７】
2004307156.tif 000009
【図８】
2004307156.tif 000010
【図９】
2004307156.tif 000011
【図１０】
2004307156.tif 000012